(57)【要約】【課題】  供給されている電源の種類によって動画像のサムネイル表示を変更できる携帯型画像再生装置を提供できるようにする。【解決手段】  ＡＣアダプタ等による外部電源使用時は、インデックス画面のサムネイル表示においてユーザが選択しているコンテンツの再生画像を動画によって表示し、装置本体に取り付けられた一次電池または充電式電池による電源供給時にはインデックス画面のサムネイル表示を静止画像として表示するようにして、電源が電池から供給されている場合には、動画デコーダの復号化動作を停止させるようにして、充電式電池で動作時にサムネイル画像をインデックス画面表示することによって消費される電力をできる限り低減できるようにする。【選択図】  図１
2006325143.tif 000002
【特許請求の範囲】
【請求項１】
圧縮符号化された状態でランダムアクセス可能な記録媒体に記録されている動画像データを読み出す動画像データ読み出し手段と、
前記動画像データ読み出し手段により読み出された動画像データを伸長復号化する伸長復号化手段と、
前記伸長復号化手段によって伸長復号化された動画像データを再生する動画像データ再生手段と、
前記記録媒体に記録されている動画像データにおける所定の管理単位である動画シーンのそれぞれにおいて、前記動画シーン中の所定の画像を縮小してサムネイル画像を生成するサムネイル画像生成手段と、
前記サムネイル画像生成手段により生成されたサムネイル画像を一覧形式でインデックス画面表示する画像表示制御手段と、
装置本体が動作している電源の種類を検出する電源種類検出手段とを有し、
前記画像表示制御手段は、前記電源種類検出手段の検出結果に応じて前記サムネイル画像の表示方法を異ならせることを特徴とする携帯型画像再生装置。
【請求項２】
前記画像表示制御手段は、前記電源種類検出手段によって検出される電源の種類が装置本体の外部から供給される電源であった場合、前記インデックス画面における前記動画シーンの内容を示すサムネイル画像を、前記サムネイル画像の大きさの動画像で表示することを特徴とする請求項１に記載の携帯型画像再生装置。
【請求項３】
前記画像表示制御手段は、前記電源検出手段によって検出される電源の種類が、本体に取り付けられる一次電池または二次電池であった場合、前記インデックス画面における前記動画シーンの内容を示すサムネイル画像を、前記動画シーン中の所定のフレーム画像またはフィールド画像を縮小した静止画像で表示することを特徴とする請求項１または２に記載の携帯型画像再生装置。
【請求項４】
前記伸長復号化手段によって伸長復号化された動画像データを縮小したサムネイル画像をバッファメモリに一時的に蓄積するサムネイル画像蓄積手段と、
前記バッファメモリに蓄積されたサムネイル画像を所定のタイミングで読み出すサムネイル画像読み出し手段とを有し、
前記画像表示制御手段は、前記電源種類検出手段によって検出される電源の種類が、本体に取り付けられた一次電池または二次電池であった場合、前記サムネイル画像読み出し手段により前記バッファメモリから読み出されるサムネイル画像をインデックス画面表示するようにして、前記動画シーンにおける所定の時間部分を前記サムネイル画像の大きさで繰り返し再生表示することを特徴とする請求項１に記載の携帯型画像再生装置。
【請求項５】
前記一次電池または二次電池の残容量を検出する電池残量検出手段と、
前記電池残量検出の検出結果に応じて、前記バッファメモリに蓄積する動画像データの量を制御するデータ蓄積量制御手段とを有することを特徴とする請求項４に記載の携帯型画像再生装置。
【請求項６】
前記所定の管理単位とは、前記記録媒体への記録開始操作が行われてから記録終了操作が行われるまでに記録された動画シーンであることを特徴とする請求項１〜５の何れか１項に記載の携帯型画像再生装置。
【請求項７】
前記所定の管理単位とは、ＤＶＤ（Digital Versatile Disk）のタイトルまたはチャプタであることを特徴とする請求項１〜５の何れか１項に記載の携帯型画像再生装置。
【請求項８】
圧縮符号化された状態でランダムアクセス可能な記録媒体に記録されている動画像データを読み出す動画像データ読み出し工程と、
前記動画像データ読み出し工程により読み出された動画像データを伸長復号化する伸長復号化工程と、
前記伸長復号化工程によって伸長復号化された動画像データを再生する動画像データ再生工程と、
前記記録媒体に記録されている動画像データにおける所定の管理単位である動画シーンのそれぞれにおいて、前記動画シーン中の所定の画像を縮小してサムネイル画像を生成するサムネイル画像生成工程と、
前記サムネイル画像生成工程により生成されたサムネイル画像を一覧形式でインデックス画面表示する画像表示制御工程と、
装置本体が動作している電源の種類を検出する電源種類検出工程とを有し、
前記画像表示制御工程は、前記電源種類検出工程の検出結果に応じて前記サムネイル画像の表示方法を異ならせることを特徴とする携帯型画像再生装置の制御方法。
【請求項９】
前記画像表示制御工程は、前記電源種類検出工程によって検出される電源の種類が装置本体の外部から供給される電源であった場合、前記インデックス画面における前記動画シーンの内容を示すサムネイル画像を、前記サムネイル画像の大きさの動画像で表示することを特徴とする請求項８に記載の携帯型画像再生装置の制御方法。
【請求項１０】
前記画像表示制御工程は、前記電源検出工程によって検出される電源の種類が、本体に取り付けられる一次電池または二次電池であった場合、前記インデックス画面における前記動画シーンの内容を示すサムネイル画像を、前記動画シーン中の所定のフレーム画像またはフィールド画像を縮小した静止画像で表示することを特徴とする請求項８に記載の携帯型画像再生装置の制御方法。
【請求項１１】
前記伸長復号化工程によって伸長復号化された動画像データを縮小したサムネイル画像をバッファメモリに一時的に蓄積するサムネイル画像蓄積工程と、
前記バッファメモリに蓄積されたサムネイル画像を所定のタイミングで読み出すサムネイル画像読み出し工程とを有し、
前記画像表示制御工程は、前記電源種類検出工程によって検出される電源の種類が、本体に取り付けられた一次電池または二次電池であった場合、前記サムネイル画像読み出し工程により前記バッファメモリから読み出されるサムネイル画像をインデックス画面表示するようにして、前記動画シーンにおける所定の時間部分を前記サムネイル画像の大きさで繰り返し再生表示することを特徴とする請求項８に記載の携帯型画像再生装置の制御方法。
【請求項１２】
前記一次電池または二次電池の残容量を検出する電池残量検出工程と、
前記電池残量検出の検出結果に応じて、前記バッファメモリに蓄積する動画像データの量を制御するデータ蓄積量制御工程とを有することを特徴とする請求項１１に記載の携帯型画像再生装置の制御方法。
【請求項１３】
前記所定の管理単位とは、前記記録媒体への記録開始操作が行われてから記録終了操作が行われるまでに記録された動画シーンであることを特徴とする請求項８〜１２の何れか１項に記載の携帯型画像再生装置の制御方法。
【請求項１４】
前記所定の管理単位とは、ＤＶＤ（Digital Versatile Disk）のタイトルまたはチャプタであることを特徴とする請求項８〜１２の何れか１項に記載の携帯型画像再生装置の制御方法。  
【請求項１５】
圧縮符号化された状態でランダムアクセス可能な記録媒体に記録されている動画像データを読み出す動画像データ読み出し工程と、
前記動画像データ読み出し工程により読み出された動画像データを伸長復号化する伸長復号化工程と、
前記伸長復号化工程によって伸長復号化された動画像データを再生する動画像データ再生工程と、
前記記録媒体に記録されている動画像データにおける所定の管理単位である動画シーンのそれぞれにおいて、前記動画シーン中の所定の画像を縮小してサムネイル画像を生成するサムネイル画像生成工程と、
前記サムネイル画像生成工程により生成されたサムネイル画像を一覧形式でインデックス画面表示する画像表示制御工程と、
装置本体が動作している電源の種類を検出する電源種類検出工程とを有し、
前記画像表示制御工程は、前記電源種類検出工程の検出結果に応じて前記サムネイル画像の表示方法を異ならせるようにした携帯型画像再生装置の制御方法をコンピュータに実行させることを特徴とするコンピュータプログラム。
【請求項１６】
前記請求項１５に記載のコンピュータプログラムを記録したことを特徴とするコンピュータ読み取り可能な記録媒体。
【発明の詳細な説明】
【技術分野】
【０００１】
本発明は携帯型画像再生装置、携帯型画像再生装置の制御方法、コンピュータプログラム及び記録媒体に関し、特に、光ディスクやハードディスクドライブ、フラッシュメモリカード等のように、ランダムアクセス可能な記録媒体を用いて、画像の記録再生を行い、電灯線電源や充電式電池を電源とする携帯型画像再生装置に用いて好適な技術に関する。
【背景技術】
【０００２】
近年、ＤＶＤ（Digital Versatile Disk）を始めとする大容量記録媒体を用いた据え置き型ビデオレコーダやビデオカメラが普及してきている。これらの映像記録再生装置は、入力された映像をデジタル化し、ＭＰＥＧ２（Moving Picture Experts Group phase 2）を用いた高効率圧縮符号化手段（ＭＰＥＧ２エンコーダ）によって符号化した画像データを前記大容量記録媒体に記録している。
【０００３】
そして、再生時には前記記録媒体から読み出した画像データを復号化手段（ＭＰＥＧ２デコーダ）で復号化してからアナログ化して、再生画像表示もしくは外部に再生画像を出力する構成である。このような構成により、近年の映像記録再生装置は長時間の記録を可能とするとともに、記録媒体のランダムアクセス性を生かして所望の動画コンテンツを素早く頭出して、再生可能であることが大きな特徴となっている。
【０００４】
このような映像記録再生装置では、動画コンテンツ再生モードにおいて、動画コンテンツの先頭のフレーム、または任意のフレーム（横７２０画素×縦４８０画素）を横１６０画素×縦１２０画素程度の静止画に縮小した代表画像（サムネイル画像）を６画面〜９画面程度一覧形式に並べたインデックス画面を表示し、使用者はそのサムネイル画像を選択、実行操作を行うことで所望の動画コンテンツを容易に再生できる構成としているのが一般的である。このような構成を有するビデオレコーダの従来例としては、例えば特許文献１に開示されている「情報再生装置」がある。
【０００５】
特許文献１に記載の「情報再生装置」の構成では、例えば動画像トラックの先頭画像を静止画として、１画面に９つの静止画を同時に表示するようにしている。そして、９つ表示された静止画の１つを選択すると、対応する動画像の再生が開始されるようにしている。
【０００６】
しかしながら、前記の動画コンテンツの先頭フレーム、または任意のフレームの縮小静止画像によるサムネイル画像は、動画コンテンツを構成する膨大なフレーム画像中の１つのフレーム画像であるに過ぎないため、先頭フレーム画像を見ただけでは所望の動画コンテンツの識別が困難な場合がある。
【０００７】
この問題を解決するため、前記インデックス画面にて、使用者によって選択された動画コンテンツを縮小画像のまま再生を開始し、動画像のサムネイル画面として表示を行うように構成した据え置きビデオレコーダも存在する。
【０００８】
この据え置きビデオレコーダのサムネイル画面では、動画コンテンツ選択のための選択指標の移動時はサムネイルが静止し、前記選択指標の移動が止まった場合に（いずれかの動画コンテンツが選択された場合に）縮小画像のまま、また表示位置も変更することなく動画再生を行うようにしている。このため、動画コンテンツを素早く選択することが可能（前記選択指標の移動速度が確保できる）であるとともに、動画コンテンツの識別がより容易に行えることが特徴となっている。なお、サムネイルの動画再生に関する技術については、例えば特許文献２において、「動画サムネイル表示機能を有するデジタル記録再生装置及び動画サムネイル表示方法」提案されている。
【０００９】
【特許文献１】特開平８−１８９２３号公報
【特許文献２】特開２００１−１５７１４７号公報
【発明の開示】
【発明が解決しようとする課題】
【００１０】
しかしながら、前記した動画像のサムネイル表示を行うシステムは、据え置きビデオレコーダでは実現可能といえるが、充電式電池等を動作電源とするビデオカメラを始めとする携帯型画像記録再生装置において行う場合には以下のような問題があった。
【００１１】
すなわち、動画像のサムネイルを表示している間、前記デコーダを常に動作させている状態となるため、電力の消費が増加して電池が短時間で消費されてしまうという問題があった。
本発明は上述の問題点にかんがみ、供給されている電源の種類によって動画像のサムネイル表示を変更できる携帯型画像再生装置を提供できるようにすることを第１の目的とする。
また、電池寿命を縮めることなく記録コンテンツの識別選択が容易に行うことができるようにすることを第２の目的とする。
【課題を解決するための手段】
【００１２】
本発明の携帯型画像再生装置は、圧縮符号化された状態でランダムアクセス可能な記録媒体に記録されている動画像データを読み出す動画像データ読み出し手段と、前記動画像データ読み出し手段により読み出された動画像データを伸長復号化する伸長復号化手段と、前記伸長復号化手段によって伸長復号化された動画像データを再生する動画像データ再生手段と、前記記録媒体に記録されている動画像データにおける所定の管理単位である動画シーンのそれぞれにおいて、前記動画シーン中の所定の画像を縮小してサムネイル画像を生成するサムネイル画像生成手段と、前記サムネイル画像生成手段により生成されたサムネイル画像を一覧形式でインデックス画面表示する画像表示制御手段と、装置本体が動作している電源の種類を検出する電源種類検出手段とを有し、前記画像表示制御手段は、前記電源種類検出手段の検出結果に応じて前記サムネイル画像の表示方法を異ならせることを特徴とする。
【００１３】
本発明の携帯型画像再生装置の制御方法は、圧縮符号化された状態でランダムアクセス可能な記録媒体に記録されている動画像データを読み出す動画像データ読み出し工程と、前記動画像データ読み出し工程により読み出された動画像データを伸長復号化する伸長復号化工程と、前記伸長復号化工程によって伸長復号化された動画像データを再生する動画像データ再生工程と、前記記録媒体に記録されている動画像データにおける所定の管理単位である動画シーンのそれぞれにおいて、前記動画シーン中の所定の画像を縮小してサムネイル画像を生成するサムネイル画像生成工程と、前記サムネイル画像生成工程により生成されたサムネイル画像を一覧形式でインデックス画面表示する画像表示制御工程と、装置本体が動作している電源の種類を検出する電源種類検出工程とを有し、前記画像表示制御工程は、前記電源種類検出工程の検出結果に応じて前記サムネイル画像の表示方法を異ならせることを特徴とする。
【００１４】
本発明のコンピュータプログラムは、圧縮符号化された状態でランダムアクセス可能な記録媒体に記録されている動画像データを読み出す動画像データ読み出し工程と、前記動画像データ読み出し工程により読み出された動画像データを伸長復号化する伸長復号化工程と、前記伸長復号化工程によって伸長復号化された動画像データを再生する動画像データ再生工程と、前記記録媒体に記録されている動画像データにおける所定の管理単位である動画シーンのそれぞれにおいて、前記動画シーン中の所定の画像を縮小してサムネイル画像を生成するサムネイル画像生成工程と、前記サムネイル画像生成工程により生成されたサムネイル画像を一覧形式でインデックス画面表示する画像表示制御工程と、装置本体が動作している電源の種類を検出する電源種類検出工程とを有し、前記画像表示制御工程は、前記電源種類検出工程の検出結果に応じて前記サムネイル画像の表示方法を異ならせるようにした携帯型画像再生装置の制御方法をコンピュータに実行させることを特徴とする。
【００１５】
本発明の記録媒体は、前記に記載のコンピュータプログラムを記録したことを特徴とする。
【発明の効果】
【００１６】
本発明によれば、ＡＣアダプタ等による外部電源使用時は、インデックス画面のサムネイル表示においてユーザが選択しているコンテンツの再生画像を動画によって表示し、装置本体に取り付けられた一次電池または充電式電池による電源供給時にはインデックス画面のサムネイル表示を静止画像として表示するようにして、電源が電池から供給されている場合には、動画デコーダの復号化動作を停止させることができる。これにより、充電式電池で動作時にサムネイル画像をインデックス画面表示することによって消費される電力をできる限り低減することができる。
また、本発明の他の特徴によれば、ＡＣアダプタ等による外部電源使用時は、インデックス画面のサムネイル表示においてユーザが選択している動画コンテンツの再生画像を表示することができるとともに、一次電池または充電式電池による電源供給時でもインデックス画面のサムネイル表示においては、ユーザが選択している動画コンテンツの再生画像として、所定の動画部分をバッファメモリに蓄えておいたデコード済み動画像データを再生して表示するようにしたので、電源が一次電池または充電式電池の場合には動画デコーダを非動作とすることができ、電池寿命を縮めることなく記録動画コンテンツの識別選択を容易に行えるようにすることができる。
【発明を実施するための最良の形態】
【００１７】
（第１の実施の形態）
以下に、本発明をデジタルビデオカメラで応用した第１の実施の形態について図面を用いて説明する。
図１は本実施の形態のデジタルビデオカメラの概略構成を説明するブロック図である。
図１において、１０１は被写体を取り込む撮影レンズ、１０２は後述の撮像素子への光量を制御する絞り装置、１０３は取り込んだ被写体を画像信号に変換する撮像素子、１０４は前記撮像素子３から出力される画像信号をサンプルホールドし、適正な信号レベルにするＣＤＳ／ＡＧＣ、１０５は前記ＣＤＳ／ＡＧＣ１０４から出力される画像信号をＡ／Ｄ変換し、デジタル信号処理を行うデジタル信号処理回路である。
【００１８】
１０６はデジタル信号処理回路１０５から出力される生データを１フレーム分ずつ蓄積するフレームメモリ、１０７は画素数調整回路であり、前記フレームメモリ１０６の画素を後述のＭＰＥＧ２方式で記録ができるように、適切な画素数を調整するものである。
【００１９】
１０８は各ブロック間の画像データ及び後述の音声データが行き来する画像／音声データバス、１０９は前記画像データと共に、後述の光ディスクに記録される音声を集音するマイクロフォン、１１０は前記マイクロフォン１０９から出力される音声信号を適当なレベルまで増幅する増幅器、１１１は前記増幅器１１０により増幅された音声信号をＡ／Ｄ変換するＡ／Ｄコンバータである。
【００２０】
１１２は液晶ディスプレイであり、カメラ撮影時には撮影される映像を表示し、また再生時には再生画像やユーザが再生したい動画コンテンツを選択するためのインデックス画面、その他各種文字情報を表示するものである。１１３は液晶ドライバであり、前記液晶ディスプレイ１１２を駆動する。
【００２１】
１１４はＭＰＥＧ２コーデックであり、前記画像／音声データバス１０８からのデジタル画像信号を動画としてＭＰＥＧ２方式による圧縮符号化を行うと共に、後述の光ディスク１１９に記録されたＭＰＥＧ２画像データを復号伸長化する。１１５は後述のＮＴＳＣエンコーダ１１６からのアナログ映像信号を出力するビデオ出力端子、１１６は前記液晶ディスプレイ１１２で表示される画像と同一の画像をアナログ化し、前記ビデオ出力端子１１５に出力するＮＴＳＣエンコーダである。
【００２２】
１１７はビデオメモリ（ＶＲＡＭ）であり、前記液晶ディスプレイ１１２で表示される画像やビデオ出力端子１１５から出力された画像を格納するためのものである。１１８は前記光ディスク１１９から読み出したＭＰＥＧ２画像データや、前記ＭＰＥＧ２コーデック１１４で復号伸長化された画像データ、または後述の画像縮小回路１２１から出力される縮小動画データを一時的に格納するバッファメモリである。
【００２３】
１１９は前記画像/音声データバス１０８からのＭＰＥＧ２画像データを記録する光ディスク、１２０は光ディスク１１９に対してデータの読み書きを行うディスクドライバ、１２１は前記ＭＰＥＧ２コーデック１１４にて復号伸長化された画像データの画素数を削減し、前記インデックス画面で表示するためのサムネイル画像又は縮小動画像を出力する画像縮小回路である。
【００２４】
１２２は操作キーであり、本体の電源を操作するためのＰＯＷＥＲスイッチやカメラ（撮影）モードとコンテンツプレイ（再生）モードを切り換えるためのＭＯＤＥスイッチその他各種スイッチ・ダイヤル類を含む、使用者が本体に対する操作を行うためのものである。１２３は機器全体のモードを制御したり、前記操作キー１２２を検出したりして、各種機能の実行を制御するメインマイコンである。
【００２５】
１２４は前記メインマイコンの所定の状態を記憶する不揮発性メモリであるＥＥＰＲＯＭ、１２５は前記メインマイコン１２３から出力される制御信号が行き来する制御バスである。
【００２６】
１２６は電源制御部であり、本体の各ブロックに供給される電力源を、後述のバッテリ１２７から供給される電力か、後述の外部電源端子１２８から供給される電力の何れかに切り換えるように制御したり、各ブロックに最適な電圧をかけるように制御したりする。
【００２７】
１２７は本体に装着される充電式のバッテリ、１２８は外付けのＡＣアダプタを接続する外部電源端子、１２９は変圧・整流回路であり、後述の電源プラグ１３０から供給される１００Ｖ商用電圧を、本体で使用する７．２Ｖの電圧に降圧し、交流を直流に変換する。１３０は電灯線に接続する電源プラグである。
【００２８】
以上の構成において、本実施の形態のデジタルビデオカメラの動作をフローチャート及び図面を参照しながら説明する。
図２は、本実施の形態のデジタルビデオカメラにおける再生モード時の動作を示すフローチャートである。
【００２９】
図２に示したように、ステップＳ２０１にて再生モードの動作が開始されると、ステップＳ２０２にて前記光ディスク１１９が装着されているか否かが検出される。この検出の結果、検出されない場合はステップＳ２０３に進み、光ディスク１１９が装着されていない旨のメッセージを前記液晶ディスプレイ１１２に表示する。
【００３０】
一方、ステップＳ２０２の検出の結果、光ディスク１１９が装着されている場合はステップＳ２０４に進み、動画コンテンツが記録されているかを検出する。この検出の結果、動画コンテンツが記録されていない場合はステップＳ２０５に進み、動画コンテンツが記録されていない旨のメッセージを前記液晶ディスプレイ１１２に表示する。
【００３１】
ここで、動画コンテンツとは、本実施の形態のデジタルビデオカメラで記録開始操作が行われてから記録終了操作が行われるまでに記録された動画シーンのストリームデータを表わしている。動画コンテンツは、例えば光ディスクをＤＶＤとした場合には、その管理上、タイトル或いはチャプタとして分類可能なものである。この場合、動画コンテンツをタイトルとするかチャプタとするかは、一意に定めても良いし、設定可能としても良い。
【００３２】
また、ステップＳ２０４の検出の結果、動画コンテンツが記録されている場合はステップＳ２０６に進み、複数の動画コンテンツのストリームを光ディスク１１９から読み出す。次に、ステップＳ２０７に進み、各動画コンテンツごとにサムネイルとして指定されている１フレーム分のデータを切り出す。次に、ステップＳ２０８に進み、サムネイルのサイズ（横１６０×縦１２０画素）を縮小する。次に、ステップＳ２０９に進み、作成したサムネイル画像を前記ＶＲＡＭ１１７上に配置する。
【００３３】
次に、ステップＳ２１０に進み、前記サムネイル画像が前記インデックス画面１画面分の枚数の配置を終了したか、または前記光ディスク１１９に記録されている動画コンテンツのサムネイル画像をすべて表示したかを検出する。
【００３４】
この検出の結果、サムネイル画像の再生処理の終了が検出されなかった場合は、前述したステップＳ２０６〜ステップＳ２０９の処理を繰り返し行い、まだサムネイル表示されていない動画コンテンツのサムネイル画面を作成する処理を行う。
【００３５】
前記ステップＳ２１０にて、前記インデックス画面１画面分の枚数のサムネイル画像を配置する処理が終了したか、または前記光ディスク１１９に記録されている動画コンテンツのサムネイル画像がすべて表示されたことが検出された場合は、ステップＳ２１１に進み、本体で使用している現在の電源の種類を検出する。
【００３６】
この検出の結果、電源の種類が外部電源であった場合にはステップＳ２１２に進み、選択されている動画ストリームを読み出す処理を行う。次に、ステップＳ２１３に進み、ステップＳ２１２で読み出した動画ストリームをデコード（復号）する処理を行う。
【００３７】
次に、ステップＳ２１４に進み、ステップＳ２１３においてデコードした画像を縮小する処理を行う。次に、ステップＳ２１５に進み、ステップＳ２１４において縮小した画像をＶＲＡＭ１１７に記録する処理を行う。次に、ステップＳ２１６に進み、選択された画像に再生指示が行われているか否かを判断する。この判断の結果、再生指示が行われていない場合にはステップＳ２１２に戻って前述した処理を繰り返し行う。すなわち、ステップＳ２１２からステップＳ２１６間において、選択された画像の再生指示がおこなわれるまでは、サムネイル画像（静止画）に替えて縮小された動画像の再生が行われることになる。このとき仮に動画コンテンツの終端まで再生が行われた場合は、先頭に戻って繰り返し動画再生を継続するよう構成するものとするが、動画としての再生動作を停止してサムネイル画像に切り換えるように構成しても良い。
【００３８】
一方、前記ステップＳ２１１における電源種類の判断の結果、本体で使用している電源の種類が充電式バッテリであった場合にはステップＳ２１７に進み、選択された画像に再生指示が行われているか否かを判断する。この判断の結果、再生指示が行われていない場合には、再生指示が行われるまで待機する。すなわち、このときは縮小された動画像を再生するための機能を無効化し、サムネイル画像（静止画）のみでインデックス画面を構成する。
【００３９】
ステップＳ２１６またはステップＳ２１７の判断の結果、選択された画像に再生指示が行われている場合にはステップＳ２１８に進み、選択されている動画ストリームを読み出す処理を行う。次に、ステップＳ２１９に進み、ステップＳ２１８で読み出した動画をデコードしてからステップＳ２２０に進み、動画の再生を開始する。
【００４０】
図３は、本実施の形態のデジタルビデオカメラが前記バッテリ１２７によって電源供給されている状態で行われるインデックス画面の表示例を示す図であり、前記フローチャートのステップＳ２１１にて電源の種類が検出され、ステップＳ２１６にいる状態である。図３中の（ａ）、（ｂ）はそれぞれインデックス画面で、３０１ａ〜３０６ｂは動画コンテンツから抜き出された静止画からなるサムネイルである。
【００４１】
さらに、３０１ａ及び３０６ｂでは枠が太線となっており、ユーザが十字キーなどの操作部材を操作して選択されていることを示している。この状態からユーザが再生開始操作を行うと、ステップＳ２１８〜ステップＳ２２０で説明した動画コンテンツの再生準備・開始シーケンスが開始され、図３（ａ）の状態からは３０１ａの動画コンテンツ、図３（ｂ）の状態からは３０６ｂの動画コンテンツの再生が画面全体にて動画コンテンツの最初から開始される。
【００４２】
また、図４は、本実施の形態のデジタルビデオカメラが前記外部電源端子１２８から外部電源が供給されている状態でのインデックス画面の例を示す図であり、前記フローチャートのステップＳ２１６にいる状態である。
【００４３】
図４中の（ａ）、（ｂ）はそれぞれインデックス画面で、４０２ａ〜４０６ａ及び４０１ｂ〜４０５ｂは動画コンテンツから抜き出された静止画からなるサムネイルである。また、４０１ａ及び４０６ｂでは枠が太線となっており、ユーザの十字キーなどの操作部材によって選択されていることを示している。
【００４４】
さらに、前記フローチャートのステップＳ２１１において、電源の種類が外部電源であると判定されるため、前記フローチャートは前記ステップＳ２１２〜ステップＳ２１５のプロセスを経ることとなり、前記選択されているサムネイル画面４０１ａ及び４０６ｂは、動画コンテンツそのものの再生がサムネイルのサイズでしかもサムネイルの表示位置において行われる動画像となる。
【００４５】
この時に行われる再生は、前記４０１ａの再生では図５（ａ）に、前記４０６ｂの再生は図５（ｂ）に示すように、選択されている１つの動画コンテンツの最初から最後を繰り返し再生する形となる。
【００４６】
この状態からユーザが再生開始操作を行うと、ステップＳ２１８からステップＳ２２０にかけての動画コンテンツの再生準備・開始シーケンスが開始され、図４（ａ）の状態からは４０１ａの動画コンテンツの再生、図４（ｂ）の状態からは４０６ｂの動画コンテンツの再生が画面全体にて動画コンテンツの最初から開始される。
【００４７】
なお、本実施の形態においては携帯型映像機器としてデジタルビデオカメラ、映像記録媒体として光ディスクを用いているが、この他にもフラッシュメモリカード等の半導体メモリ媒体、ハードディスクドライブ等を用いるようにしてもよい。
【００４８】
（第２の実施の形態）
次に、本発明をデジタルビデオカメラで応用した第２の実施の形態について図面を用いて説明する。
本実施の形態のデジタルビデオカメラの構成は、前記第１の実施の形態にて図１に示したブロック図と同様である。
以上の構成において、本実施の形態のデジタルビデオカメラの動作を、図６を参照しながら説明する。
【００４９】
図６は、本実施の形態のデジタルビデオカメラの再生モード時の動作を示すフローチャートである。
図６に示したように、ステップＳ６０１にて再生モードの動作が開始されると、次に、ステップＳ６０２において、光ディスク１１９が装着されているか否かが検出される。この検出の結果の光ディスク１１９が検出されない場合はステップＳ６０３に進み、ディスクが装着されていない旨のメッセージを前記液晶ディスプレイ１１２に表示する。
【００５０】
一方、ステップＳ６０２の検出の結果、光ディスク１１９が装着されている場合はステップＳ６０４に進み、動画コンテンツが記録されているかを検出する。この検出の結果、動画コンテンツが記録されていない場合は、ステップＳ６０５に進み、動画コンテンツが記録されていない旨のメッセージを前記液晶ディスプレイ１１２に表示する。
【００５１】
また、ステップＳ６０４の検出の結果、動画コンテンツが記録されている場合はステップＳ６０６に進み、複数の動画コンテンツのストリームを読み出し、次に、ステップＳ６０７に進み、前記読み出した動画コンテンツのストリームの中から、サムネイルとして指定されている１フレーム分のデータを切り出す。
【００５２】
次に、ステップＳ６０８に進み、前記ステップＳ６０７で切り出した１フレーム分のデータをサムネイルのサイズ（横１６０×縦１２０画素）に縮小する処理を行ってサムネイル画像を作成する。
【００５３】
次に、ステップＳ６０９に進み、ステップＳ６０８で作成したサムネイル画像をＶＲＡＭ１１７上に配置する。
次に、ステップＳ６１０に進み、前記サムネイル画像が前記インデックス画面における１画面分の枚数の配置を終了したか、または前記光ディスク１１９に記録されている動画コンテンツのサムネイル画像をすべて表示したか検出する。
【００５４】
この検出の結果、１画面分の枚数の配置を終了しなかった場合、またはサムネイル画像をすべて表示しなかった場合は、ステップＳ６０６に戻って前述した処理を繰り返し行い、サムネイル表示されていない動画コンテンツのサムネイル画面作成を行う。
【００５５】
また、ステップＳ６１０の検出の結果、前記インデックス画面１画面分の枚数のサムネイル画像を配置する処理を終了したか、または前記光ディスク１１９に記録されている動画コンテンツのサムネイル画像をすべて表示したと検出した場合は、ステップＳ６１１に進み、本体で使用している現在の電源の種類を検出する。
【００５６】
ステップＳ６１１の検出の結果、動作電源が外部電源であった場合にはステップＳ６１２に進み、選択されている動画ストリームを読み出す。
次に、ステップＳ６１３に進み、符号化されていた動画ストリームをデコードする処理を行う。
【００５７】
次に、ステップＳ６１４に進み、デコードした動画ストリームを所定のサイズに縮小する処理を行う。
次に、ステップＳ６１５に進み、ステップＳ６１４で作成した縮小画像をＶＲＡＭ１１７上に配置する。
【００５８】
次に、ステップＳ６１６に進み、選択された画像に再生指示が行われているか否かを判断する。この判断の結果、再生指示が行われている場合にはステップＳ６２３に進み、再生指示が行われていない場合にはステップＳ６１２に戻って前述した処理を繰り返し行う。すなわち、ステップＳ６１２からステップＳ６１６間において、選択された画像の再生指示がおこなわれるまでは、サムネイル画像（静止画）に替えて縮小された動画像の再生が行われることになる。このとき仮に動画コンテンツの終端まで再生が行われた場合は、先頭に戻って繰り返し動画再生を継続するよう構成するものとする。
【００５９】
一方、ステップＳ６１１の検出の結果、動作電源が充電式バッテリであった場合にはステップＳ６１７に進み、選択されている動画ストリームを読み出す。
次に、ステップＳ６１８に進み、符号化されていた動画ストリームをデコードする処理を行う。
【００６０】
次に、ステップＳ６１９に進み、ステップＳ６１８でデコードした動画ストリームを所定のサイズに縮小し、縮小した画像をバッファメモリ１１８に格納する処理を行う。
次に、ステップＳ６２０に進み、縮小した画像をバッファメモリ１１８から読み出す。
次に、ステップＳ６２１に進み、ステップＳ６２０においてバッファメモリ１１８から読み出した縮小画像をＶＲＡＭ１１７上に配置する。
【００６１】
次に、ステップＳ６２２に進み、選択された画像に再生指示が行われているか否かを判断する。この判断の結果、再生指示が行われている場合にはステップＳ６２３に進み、再生指示が行われていない場合にはステップＳ６２０に戻り、縮小した画像をバッファメモリ１１８から読み出す処理、及びバッファメモリ１１８から読み出した縮小画像をＶＲＡＭ１１７上に配置する処理（ステップＳ６２１）を繰り返し行う。
【００６２】
すなわち、選択された画像の再生指示がおこなわれるまでは、サムネイル画像（静止画）に替えて縮小された動画像の再生が行われることになるが、このとき初回の再生のときはデコード動作を伴いながら再生されるとともにバッファメモリ１１８が一杯になるまで再生された縮小動画像を保存しておき、２回目以降の再生のときはデコード動作を停止してバッファメモリ１１８から読み出した縮小動画像が繰り返し再生されることになる。
【００６３】
ステップＳ６２３においては、選択されている動画ストリームの読み出し処理を行う。次に、ステップＳ６２４に進み、ステップＳ６２３で読み出した動画ストリームをデコードする処理を行う。このデコード処理が完了したらステップＳ６２５に進み、再生を開始する。
【００６４】
図７は、本実施の形態のデジタルビデオカメラが前記バッテリ１２７によって電源供給されている状態でのインデックス画面の一例を示す図であり、前記フローチャートのステップＳ６２２にいる状態である。図７中の（ａ）、（ｂ）はそれぞれインデックス画面であり、７０２ａ〜７０６ａ及び７０１ｂ〜７０５ｂは動画コンテンツから抜き出された静止画からなるサムネイル画像である。また、７０１ａ及び７０６ｂでは枠が太線となっており、ユーザの十字キーなどの操作部材によって選択されていることを示している。
【００６５】
前記図６のフローチャートのステップＳ６１１において、電源の種類が充電式バッテリであると判定された場合には、前記フローチャートは前記ステップＳ６１７〜ステップＳ６２１のプロセスを経ることとなり、前記選択されているサムネイル画面７０１ａ及び７０６ｂは、該動画コンテンツそのものの再生がサムネイルのサイズでしかもサムネイルの表示位置において行われる動画像となる。
【００６６】
この時に行われる再生は、前記７０１ａの再生は図８（ａ）になり、前記７０６ｂの再生は図８（ｂ）に示すようになる。この場合、選択されている１つの動画コンテンツの最初から前記バッファメモリ１１８に収まる所定量の伸長済み画像データの分が繰り返し再生する形となる。したがって、電源の種類が充電式バッテリである場合には、この繰り返しの内、一度目は画像データ伸長のため、前記ＭＰＥＧ２コーデック１１４が動作するが、二度目以降は、前記バッファメモリに１１８に格納された伸長済み画像データが繰り返し表示されることになるので、前記ＭＰＥＧ２コーデック１１４は休止することになる。
【００６７】
この状態からユーザが再生開始操作を行うと、ステップＳ６２３からステップＳ６２５にかけての該動画コンテンツの再生準備・開始シーケンスが開始され、図７（ａ）の状態からは７０１ａの動画コンテンツ、図７（ｂ）の状態からは７０６ｂの動画コンテンツの再生が画面全体に進み、動画コンテンツの最初から開始される。
【００６８】
また、図９は、本実施の形態のデジタルビデオカメラが前記外部電源端子１２８からの外部電源による電源供給されている状態でのインデックス画面の例を示す図であり、前記フローチャートのステップＳ６１６にいる状態である。図９中の（ａ）、（ｂ）はそれぞれインデックス画面で、９０２ａ〜９０６ａ及び９０１ｂ〜９０５ｂは動画コンテンツから抜き出された静止画からなるサムネイルである。
【００６９】
また、９０１ａ及び９０６ｂでは枠が太線となっており、ユーザの十字キーなどの操作部材によって選択されていることを示している。さらに、前記図６のフローチャートのステップＳ６１１において、電源の種類が外部電源であると判定されるため、前記フローチャートは前記ステップＳ６１２〜ステップＳ６１５のプロセスを経ることとなり、前記選択されているサムネイル画面９０１ａ及び９０６ｂは、該動画コンテンツそのものの再生がサムネイルのサイズでしかもサムネイルの表示位置において行われる動画像となる。
【００７０】
この時に行われる再生は、前記９０１ａの再生では図１０（ａ）に示すように再生され、前記９０６ｂの再生は図１０（ｂ）に示すように再生される。すなわち、選択されている１つの動画コンテンツの最初から最後を繰り返し再生する形となる。
【００７１】
この状態からユーザが再生開始操作を行うと、ステップＳ６２３からステップＳ６２５にかけての該動画コンテンツの再生準備・開始シーケンスが開始され、図９（ａ）の状態からは９０１ａの動画コンテンツ、図９（ｂ）の状態からは９０６ｂの動画コンテンツの再生が画面全体にて動画コンテンツの最初から開始される。
【００７２】
なお、前記バッファメモリ１１８に収める伸長済み画像データの量は、前記充電式バッテリ１２７の電圧を検出し、電圧が高い場合は多くのバッファメモリ量を確保し、電圧が下がってくるにつれて前記バッファメモリ量を少なくしていく構成を追加してもよい。
【００７３】
さらに、本実施の形態のデジタルビデオカメラでは映像記録媒体として光ディスクを用いているが、この他にもフラッシュメモリカード等の半導体メモリ媒体、ハードディスクドライブ等を用いる構成でももちろんよい。また、本実施の形態のデジタルビデオカメラでは、バッテリ１２７の例として、充電式のバッテリ（二次電池）を用いて説明したが、乾電池等の一次電池を用いた構成であっても本発明は実施可能であり、本実施の形態と同様の効果を得ることができる。
【００７４】
（本発明に係る他の実施の形態）
上述した本発明の実施の形態における携帯型画像再生装置を構成する各手段、並びに携帯型画像再生装置の制御方法の各ステップは、コンピュータのＲＡＭやＲＯＭなどに記憶されたプログラムが動作することによって実現できる。このプログラム及び上記プログラムを記録したコンピュータ読み取り可能な記録媒体は本発明に含まれる。
【００７５】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【００７６】
なお、本発明は、前述した実施の形態の機能を実現するソフトウェアのプログラム（実施の形態では図２及び図６に示すフローチャートに対応したプログラム）を、システムあるいは装置に直接、あるいは遠隔から供給し、そのシステムあるいは装置のコンピュータが前記供給されたプログラムコードを読み出して実行することによっても達成される場合を含む。
【００７７】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００７８】
その場合、プログラムの機能を有していれば、オブジェクトコード、インタプリタにより実行されるプログラム、ＯＳに供給するスクリプトデータ等の形態であってもよい。
【００７９】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００８０】
その他、プログラムの供給方法としては、クライアントコンピュータのブラウザを用いてインターネットのホームページに接続し、前記ホームページから本発明のコンピュータプログラムそのもの、もしくは圧縮され自動インストール機能を含むファイルをハードディスク等の記録媒体にダウンロードすることによっても供給できる。
【００８１】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００８２】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００８３】
また、コンピュータが、読み出したプログラムを実行することによって、前述した実施の形態の機能が実現される他、そのプログラムの指示に基づき、コンピュータ上で稼動しているＯＳなどが、実際の処理の一部または全部を行い、その処理によっても前述した実施の形態の機能が実現され得る。
【００８４】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施の形態の機能が実現される。
【図面の簡単な説明】
【００８５】
【図１】本発明の第１の実施の形態を示し、デジタルビデオカメラの概略構成を示すブロック図である。
【図２】本発明の第１の実施の形態を示し、デジタルビデオカメラの動作を示すフローチャートである。
【図３】本発明の第１の実施の形態を示し、デジタルビデオカメラの動作を説明するためのインデックス画面の表示例を示す図である。
【図４】本発明の第１の実施の形態を示し、デジタルビデオカメラの動作を説明するためのインデックス画面の表示例を示す図である。
【図５】本発明の第１の実施の形態を示し、デジタルビデオカメラの操作とその動作の例を示す図である。
【図６】本発明の第２の実施の形態を示し、デジタルビデオカメラの動作を示すフローチャートである。
【図７】本発明の第２の実施の形態を示し、デデジタルビデオカメラの動作を説明するためのインデックス画面の表示例を示す図である。
【図８】本発明の第２の実施の形態を示し、動画コンテンツの再生例を示す図である。
【図９】本発明の第２の実施の形態を示し、デデジタルビデオカメラの動作を説明するためのインデックス画面の表示例を示す図である。
【図１０】本発明の第２の実施の形態を示し、動画コンテンツの再生例を示す図である。
【符号の説明】
【００８６】
１０１  撮影レンズ
１０２  絞り装置
１０３  撮像素子
１０４  ＣＤＳ／ＡＧＣ
１０５  デジタル信号処理回路
１０６  フレームメモリ
１０７  画素数調整回路
１０８  画像／音声データバス
１０９  マイクロフォン
１１０  増幅器
１１１  Ａ／Ｄコンバータ
１１２  液晶ディスプレイ
１１３  液晶ドライバ
１１４  ＭＰＥＧ２コーデック
１１５  ビデオ出力端子
１１６  ＮＴＳＣエンコーダ
１１７  ビデオメモリ（ＶＲＡＭ）
１１８  バッファメモリ
１１９  光ディスク
１２０  ディスクドライバ
１２１  画像縮小回路
１２２  操作キー
１２３  メインマイコン
１２４  ＥＥＰＲＯＭ
１２５  制御バス
１２６  電源制御部
１２７  バッテリ
１２８  外部電源端子
１２９  変圧・整流回路
１３０  電源プラグ
【図１】
2006325143.tif 000003
【図２】
2006325143.tif 000004
【図３】
2006325143.tif 000005
【図４】
2006325143.tif 000006
【図５】
2006325143.tif 000007
【図６】
2006325143.tif 000008
【図７】
2006325143.tif 000009
【図８】
2006325143.tif 000010
【図９】
2006325143.tif 000011
【図１０】
2006325143.tif 000012